(57)【要約】【課題】回転子の爪磁極間にネオジム磁石を配置した車両用交流発電機を提供する。【解決手段】本発明の車両用交流発電機は、外周部に爪形の形状を持つ一対の爪形磁極部が配置され、中心部には界磁巻線が巻かれた回転子と、前記一対の爪形磁極部の間に配置され、同極が向かい合う方向に着磁されたネオジム磁石と、内周面が前記回転子と対向するように配置され、前記界磁巻線の磁化により交流電圧を発生する固定子巻線を有する固定子と、発生された交流電圧を直流電圧に変換する整流回路と、を有し、前記固定子コアの内周面と前記回転子の表面は、０.４〜０.６mmの間隔を隔てて配置されていることを特徴としている。【選択図】図１
2006158200.tif 000002
【特許請求の範囲】
【請求項１】
外周部に爪形の形状を持つ一対の爪形磁極部が配置され、中心部には界磁巻線が巻かれた回転子と、
前記一対の爪形磁極部の間に配置され、同極が向かい合う方向に着磁されたネオジム磁石と、
内周面が前記回転子と対向するように配置され、前記界磁巻線の磁化により交流電圧を発生する固定子巻線を有する固定子と、
発生された交流電圧を直流電圧に変換する整流回路と、
を有し、
前記固定子コアの内周面と前記回転子の表面は、０.４〜０.６mmの間隔を隔てて配置されていることを特徴とする車両用交流発電機。
【請求項２】
請求項１に記載の車両用交流発電機において、
前記整流回路及び前記固定子を冷却する冷却水路を有することを特徴とする車両用交流発電機。
【請求項３】
請求項１乃至２に記載の車両用交流発電機において、
前記爪形磁極部における残りの空間部分から界磁巻線の空間部には良熱伝導体が配置されていることを特徴とする車両用交流発電機。
【請求項４】
請求項１乃至３に記載の車両用交流発電機において、
前記回転子の前記爪形磁極部の最外周部には飛散防止カバーが配置されていることを特徴とする車両用交流発電機。
【発明の詳細な説明】
【技術分野】
【０００１】
本発明は車両用交流発電機に関する。
【背景技術】
【０００２】
従来の車両用交流発電機としては、特開昭62−217837号公報に記載のものがある。
【０００３】
この公報には、整流器の冷却方法として整流器の片面を水路に接するように配置することが開示されている。
【０００４】
また界磁巻線の冷却方法として、界磁巻線が回転しないブラシレス構造のものを対象に、界磁巻線を直接良熱伝導体に接触させ該良熱伝導体を通じて水路に熱を逃がすことが開示されている。
【０００５】
【特許文献１】特開昭62−217837号公報
【発明の開示】
【発明が解決しようとする課題】
【０００６】
上記従来技術は整流器をその片面から冷却する構成であるため、ダイオードと固定子コイルを接続するためのターミナル及びダイオードのリード部分での発熱を冷却することは困難であった。従って、ダイオード自体は冷却できてもそれら接続部（ターミナル，リード）で発生するジュール熱を冷却することができないという問題点があった。
【０００７】
また、上記従来技術は水路を構成する冷却カバーと整流器が独立して構成されているため、整流器から冷却カバーを介して熱が伝わるときに熱抵抗が大きく、冷却効率が悪いという課題があった。
【０００８】
本発明の目的は、爪磁極間にネオジム磁石を配置した車両用交流発電機を提供することにある。
【課題を解決するための手段】
【０００９】
本発明の車両用交流発電機によれば、外周部に爪形の形状を持つ一対の爪形磁極部が配置され、中心部には界磁巻線が巻かれた回転子と、前記一対の爪形磁極部の間に配置され、同極が向かい合う方向に着磁されたネオジム磁石と、内周面が前記回転子と対向するように配置され、前記界磁巻線の磁化により交流電圧を発生する固定子巻線を有する固定子と、発生された交流電圧を直流電圧に変換する整流回路と、を有し、前記固定子コアの内周面と前記回転子の表面は、０.４〜０.６mmの間隔を隔てて配置されていることを特徴としている。
【発明を実施するための最良の形態】
【００１０】
図１は本発明の一実施形態をなす車両用交流発電機の縦断面図である。
【００１１】
車両用交流発電機１は２個のブラケットを備え、このブラケットはプーリ１０２側に配置されるフロントブラケット１０３及び反プーリ側リアブラケット１０４からなる。
【００１２】
両ブラケットの中心部にはシャフト１０１がプーリ側ベアリング１００Ｆ，反プーリ側ベアリング１００Ｒを介して支持され、シャフト１０１の一方の端部にはプーリ１０２が取り付けられ、もう一方の端部にはスリップリング１１０が取り付けられている。
【００１３】
先に述べた、プーリ側ベアリング１００Ｆはベアリングの外輪の回り止めとしてベアリングリテーナ１２０がフロントブラケット１０３に設けられている。
【００１４】
プーリ１０２はベルトを介してエンジンの出力軸に配置されたプーリと接続され、エンジンの回転数に比例して回転する。
【００１５】
スリップリング１１０にはブラシ１１１が摺動可能に取り付けられ、ブラシ１１１から後述する界磁巻線１０７に界磁巻線口出し線１０７ａを介して電力を供給する。
【００１６】
また、シャフト１０１の中央部には回転子（ロータ）が取り付けられている。回転子コア３００の外周部には爪形の形状を持つ一対の爪形磁極部１０８が配置されている。
【００１７】
また、回転子の中心部には界磁巻線１０７が巻かれ、この界磁巻線１０７にスリップリング１１０からの直流電流を流すことによって前記爪形磁極部１０８を磁化させる。
【００１８】
一対の爪形磁極部１０８の間には永久磁石１１８が配置され、残りの空間部分から界磁巻線１０７の空間部には良熱伝導体１１６が配置され、回転子の爪形磁極部１０８の最外周部には良熱伝導体１１６の飛び出しを防止するための飛散防止カバー１１７が配置されている。
【００１９】
プーリ側フロントブラケット１０３と反プーリ側リアブラケット１０４の間には固定子コア１０５が内蔵されたハウジング１１５が配置され、この固定子コア１０５の内周面は回転子の爪形磁極部１０８表面に配置される飛散防止カバー１１７と僅かな間隔（機械的ギャップ）を隔てて配置されている。
【００２０】
この機械的ギャップ長は０.４〜０.６mmである。固定子コア１０５にはティースとスロットが配置され、この固定子コア１０５の凹部に相当するスロットには固定子巻線１０６が３相に巻かれており、エンジンの駆動によって爪形磁極部108が回転して磁化されると、固定子巻線１０６に３相の誘起電圧が発生する。
【００２１】
固定子コア１０５はハウジング１１５の内側にヤキバメにより固定されるが、固定子コア１０５のスロット内の固定子巻線１０６の隙間およびコイルエンドには、良熱伝導体
１１６が充填され、結果的には固定子コア１０５と固定子巻線１０６とハウジング１１５は良熱伝導体１１６で一体的に成型されて熱的に接続されている。ここで述べた良熱伝導体は、例えば熱伝導率が１.０（Ｗ／ｍＫ）よりも大きいシリコンゴム系のものや熱伝導率の高いエポキシ樹脂等である。
【００２２】
ハウジング１１５には冷却水が流れるための水路１１４が形成されている。また、ハウジング１１５の反プーリ側にはダイオードを冷却するための水路１１４も構成されている。このダイオードの冷却水路１１４を塞ぐためにリアプレート１１２が配置され、そのリアプレート１１２にダイオードモジュールが配置される。
【００２３】
ハウジング１１５とリアプレート１１２の間には水漏れを防止するためのシール材（図示せず）が配置されている。そのリアプレート１１２はその外側に配置されるリアブラケット１０４によりハウジング１１５にネジを用いて固定されている。
【００２４】
反プーリ側リアブラケット１０４の内側には、整流回路を構成するダイオードのモジュールであるダイオードのマイナスフィン１０９ｂの上に絶縁材を介してダイオードのプラスフィン１０９ａが構成され、ダイオードのマイナスフィン１０９ｂは直接冷却水路114を密閉するためのリアプレート１１２に固定されている。
【００２５】
また、発電電圧を調整するためのＩＣレギュレータ１１３は前記リアブラケット１０４に冷却面が接するように配置されている。
【００２６】
ダイオードのプラスフィン１０９ａは、図示しないバッテリーのプラス電極に接続され、ダイオードのマイナスフィン１０９ｂは車両用交流発電機１の本体と同一電位となっていて、図示しないバッテリーのマイナス端子側に電気的に接続される。
【００２７】
これらのダイオードは固定子巻線１０６で発生した３相交流電圧を全波整流し直流電圧に変換する。
【００２８】
ＩＣレギュレータ１１３は、バッテリーを充電するためにダイオードで整流した直流電圧が約１４.３Ｖ 程度の一定電圧に保たれるよう、界磁巻線電流を制御する。
【００２９】
また、ダイオードのマイナスフィン１０９ｂ，ダイオードのプラスフィン１０９ａ，ダイオードと固定子巻線１０６の口出し線を接続するためのターミナル１２１は、良熱伝導体１１６により密封されリアブラケット１０４及びリアプレート１１２に熱的に接続され放熱が良好に行われると共に、防水の効果を持たせている。
【００３０】
また、回転子コア３００の軸方向端部をなす面２００に対向する筐体部材のうち、フロントブラケット１０３に冷却促進部１１９Ｆ，ハウジング１１５の反プーリ側には冷却促進部１１９Ｒが配置されている。これら筐体部材と回転子コア３００の軸方向端部をなす面２００のギャップ長ｇ１及びｇ２は０.３mm〜１.０mm程度のものである。
【００３１】
以上のように構成した車両用交流発電機１において、エンジンの駆動によってプーリ
１０２が回転すると、シャフト１０１はスリップリング１１０及び回転子と一緒に回転し、ブラシ１１１からの直流電流が回転子内部の界磁巻線１０７に通電され、界磁巻線107は爪形磁極部１０８のそれぞれの磁極にＮ極及びＳ極を構成するように動作する。
【００３２】
この界磁巻線１０７による磁束は、Ｎ極の爪形磁極部の爪部から出たものが、固定子コア１０５を通りＳ極の爪形磁極部の爪部に戻る磁気回路を形成する。この磁気回路の磁束が固定子巻線１０６を差交することにより、固定子巻線１０６に３相の誘起電圧が発生する。
【００３３】
この３相の誘起電圧は先のダイオードプラスフィン１０９ａとマイナスフィン１０９ｂ上に配置されたダイオード群により全波整流され直流電圧に変換される。整流された直流電圧は約１４.３Ｖ 程度の一定電圧になるようにＩＣレギュレータ１１３で界磁巻線電流を制御することで達成している。
【００３４】
先に述べた爪磁極間に配置した永久磁石は爪磁極間に同極が向かい合う方向に着磁したもので固定子巻線を通る有効磁束を増加させるためのものである。
【００３５】
本実施形態では冷却方式に水冷を採用しているために、低速で発電しても冷却効果が期待できることから、爪磁極間には耐熱性の高いネオジム磁石を採用している。
【００３６】
次に固定子巻線１０６で発生する銅損による発熱の冷却について説明する。
【００３７】
先にも述べたように、固定子巻線１０６が配置される固定子コア１０５はハウジング
１１５にヤキバメにより固定され、熱をハウジング１１５に伝えやすい構造としている。また、先にも説明したように固定子巻線１０６の放熱向上のために固定子巻線１０６とハウジング１１５の内面が熱的に接触させるように、熱伝導の高い樹脂で熱の放熱経路を設けている。
【００３８】
ハウジング１１５の外周には軸方向に穴が複数個貫通しており、フロントブラケット
１０３とリアプレート１１２により水路は密閉されジグザグ状に水路が構成されている。冷却水はハウジング１１５の外周面のジグザグ状の水路を流れるように構成されており、固定子コア１０５の外周面から冷却出来るものである。また、回転子内部で発生する界磁巻線１０７の銅損による発熱はフロントブラケット１０３とハウジング１１５の反プーリ側の内側で、回転子の軸方向の面
２００に僅かなギャップで接する冷却促進部１１９で放熱出来る構造である。
【００３９】
このように回転子の冷却に対して軸方向の面と外周面を冷却水の通る水路１１４に間接的に接するように配置することで、回転子全体の冷却を促進できる構成である。
【００４０】
また、図示していないが、本発明ではハウジング１１５に配置した水路は８本の偶数とし、水の流れは反プーリ側から入りフロントブラケット１０３で折り返し、また、反プーリ側に流れてプーリ側に折り返すような４往復して反プーリ側から出ていくようにした。
【００４１】
このように水路を偶数にすることで同一方向に給排水の配管を設けることが出来、ラジエータホース４のとり回しが容易になる。
【００４２】
また、給排水のホースジョイントを反プーリ側に配置することでベルトに絡む可能性を大幅に低減できる。
【００４３】
前記説明は、ＩＣレギュレータ１１３をリアブラケット１０４に配置したが、水路114に直接接するリアプレート１１２に接するように配置しても良く、水温の検出精度を高めることができる。
【００４４】
次に整流器であるダイオードの冷却について図２を用いて詳細に説明する。
【００４５】
図１で示したように全波整流回路のダイオードは、固定子巻線が△結線の場合には６個、Ｙ結線の場合には中性点ダイオードを２個用いるために８個で構成される。本実施形態ではＹ結線を例に取り説明する。
【００４６】
ダイオードマイナスフィン１０９ｂにはダイオードＵ-，Ｖ-，Ｎ-，Ｗ-の４個がダイオードマイナスフィン１０９ｂに圧入されている。また、ダイオードプラスフィン１０９ａにおいても同様にＵ+，Ｖ+，Ｎ+，Ｗ+の４個のダイオードが圧入されている。そして、ダイオードのマイナスフィン１０９ｂの上に絶縁材１０９ａｂを介して、ダイオードプラスフィン１０９ａが重なる構成である。
【００４７】
そして、それらのダイオードは点線で図示したようにダイオードのＵ- のダイオードリード１２２とダイオードＵ+ のリードはターミナル１２１で接続されている。
【００４８】
また、このターミナルのターミナル固定部材から出ている部分は固定子巻線の出力線と接続される。よって、ダイオードのＵ- はリードの部分はカソードに相当し、フィンに圧入されている側はアノードとなる。また、Ｕ+ のダイオードはリード側がアノード、プラスフィン側がカソードに相当する。
【００４９】
そして、これらのダイオードマイナスフィン１０９ｂ，絶縁材１０９ａｂ，プラスフィン１０９ａ，ターミナル１２１，ターミナル固定部材１０９ｔは、絶縁材料であり熱伝導率の高い良熱伝導体１１６により一体成型されている。よって、防水特性に優れると共に内部の電圧は絶縁されるために図１に示したようにリアブラケットに直に接して配置することができる。
【００５０】
発熱の最も大きい部分は、電流密度の高いダイオードのリード１２２部分及びターミナル１２１部分である。特に、ターミナル１２１はターミナル固定部材１０９ｔにより固定されると共に放熱が阻害されているために温度上昇が最も大きい。
【００５１】
実験による測定ではターミナル１２１の温度はダイオードの温度に比べ約３５℃程度高くなっていた。本実施形態のように良熱伝導体１１６で囲いリアブラケットに接触させることで、ターミナルの温度を約６０℃下げることができた。
【００５２】
また、本発明では、先に説明したターミナル１２１は固有抵抗値の小さい銅を用いたが、銅に他の金属を混ぜた銅合金を用いても同様の効果は得られる。
【００５３】
また、冷却効率を上げるためにダイオードを圧入しているプラスフィン及びマイナスフィンの材質に同様の銅又は銅合金を用いることで達成できる。
【００５４】
なお、本発明ではターミナルを保持するためにターミナル固定部材１０９ｔを用いたが使用しなくてもよい。
【００５５】
次に図３を用いてダイオードのマイナス素子をリアプレート１１２に配置した場合について説明する。
【００５６】
図２との違いは、ダイオードのマイナスフィン１０９ｂを省略してダイオードのマイナス素子を直接リアプレート１１２に圧入したものである。
【００５７】
点線はリアプレート１１２により塞がれる水路を示したもので、ダイオードを良好に冷却できるものである。
【００５８】
このように、ダイオードのマイナス素子をリアプレート１１２に直付けすることで熱抵抗を小さくすることができダイオードの温度上昇を下げることができる。言い換えると、ダイオードのマイナスフィン１０９ｂを水路を塞ぐための部材として使用したことにもなる。
【００５９】
図４はその埋め込んだマイナス側のダイオードの断面図を示したものである。構成については図１に示したようにハウジング１１５の反プーリ側に配置した冷却促進部１１９Ｒ内の水路１１４を密閉するための部材である。
【００６０】
リアプレート１１２を省略してダイオードのマイナスフィン１０９ｂにダイオードのマイナス側を配置している。そのマイナス側フィン１０９ｂの上部には絶縁材１０９ａｂを介してダイオードのプラスフィン１０９ａが配置される。
【００６１】
このダイオードのプラスフィン１０９ａにはダイオードのプラス側が配置され、それぞれのダイオードのリード１２２はターミナル１２１により接続されている。
【００６２】
このように、リアプレート１１２を省略することでダイオードから水路１１４までの熱抵抗とリアプレート１１２とリアプレート１１２とマイナスフィン１０９ｂとの接触熱抵抗を低減できる効果がある。
【００６３】
図５はリアプレート１１２に、マイナス側ダイオードだけではなくプラス側ダイオードを混在させた場合を示したものである。
【００６４】
この場合は、プラス側ダイオードのディスク１０９ｄを電気的に絶縁する必要があるためディスク１０９ｄの外周部分には絶縁材１０９ａｂが配置される。この絶縁材１０９ａｂは熱伝導特性の良いものを使用することはいうまでもない。先の図２ではリアプレート１１２の上にダイオードマイナスフィン１０９ｂの上部にダイオードプラスフィンを絶縁材１０９ａｂを用いて重ねて配置したが、他の方法としてはリアプレート１１２に対してマイナスダイオードは直付け、プラスフィンは絶縁材１０９ａｂを介して直接リアプレート１１２に固定することも可能である。
【００６５】
こうすることで、ダイオードのプラスフィン１０９ａは絶縁物のみで水路に近いリアプレート１１２に接することができ良好な冷却が可能になる。
【００６６】
図６は、図１に示した車両用交流発電機１の縦断面図を示したものである。図１と同符号は同じものを示すため詳細な説明は省略する。
【００６７】
図１との違いはプーリ側に配置したベアリング１００Ｆの外輪の回り止めに設けているベアリングリテーナ１２０を省略し冷却促進部１１９Ｆを大きくしてベアリングのリテーナと共用化したものである。この冷却促進部１１９Ｆはアルミ部材で構成されフロントブラケット１０３にネジにより固定される。
【００６８】
このように、冷却促進部１１９Ｆをロータの内周側にまで配置できることでロータの界磁巻線１０７の冷却を促進できる効果がある。フロントブラケット１０３に設けた冷却促進部１１９Ｆの高さをＨ１、界磁巻線の巻高さＨ２、反プーリ側に配置した冷却促進部
１１９Ｒの高さをＨ３とした場合、それぞれの冷却促進部の高さは以下の式を満足するものとする。
【００６９】
Ｈ１≧Ｈ２，Ｈ３≧Ｈ２
また、突き合わせ面のギャップ長ｇ１及びｇ２は０.３mm〜１.０mm程度である。この理由は界磁巻線１０７の放熱効果を十分に確保するためである。
【００７０】
図７は、図６に示した車両用交流発電機１の縦断面図を示す。図６と同符号は同じものを示すため詳細な説明は省略する。
【００７１】
図６との違いは界磁巻線１０７の口出し線１０７ａを爪磁極の側面に溝を設けてその凹部に配線を埋め込んだものである。この口出し線１０７ａと爪形磁極部の凹部はワニスにより固定されている。よって、回転子の反プーリ側の面は平面とすることができるために冷却促進部１１９Ｒの効果を十分発揮することができる。
【００７２】
図６の場合には界磁巻線口出し線１０７ａの外側と冷却促進部１１９Ｒのギャップ長を０.３mm に設定しても、口出し線の線径分はギャップ長が広がってしまうために実際のギャップ長は２mm程度になっていた。そのために反プーリ側の冷却促進部１１０Ｒの冷却効果は小さかった。
【００７３】
また、ロータの爪磁極側面に界磁巻線を通すための凹部を爪磁極を成型するときに爪磁極の数ほど設けることで、組立時に界磁巻線とロータ爪磁極の位置合わせを必要としないため量産性向上の効果がある。
【００７４】
また、使わない凹部はロータ外周に向かって放射状に配置されるため内扇ファンの機能を持たせることができるため、機内空気の攪拌が可能となり冷却促進の効果もある。
【００７５】
図８は、図７に示した車両用交流発電機１の縦断面図を示す。図７と同符号は同じものを示すため詳細な説明は省略する。
【００７６】
図７との違いはフロントブラケット１０３の固定子巻線１０６とほぼ同じ外径部に放熱用の開口部１２２を設けたものである。この開口部１２２は回転部分と直接接していないため異物が混入しても回転子が固着し難い利点がある。また、爪形磁極部による攪拌作用により機内の冷却に有効であることから、界磁巻線温度を低くすることが出来るため界磁巻線の信頼性向上効果及び爪磁極間に配置した永久磁石の高温減磁抑制効果がある。
【００７７】
また、本発明の基礎となる請求の範囲を以下に示す。
【００７８】
複数の磁極を備えた回転子と、前記複数の磁極が磁化されることによって交流電圧を発生する固定子と、前記交流電圧を整流して出力するものであって、複数の正極側整流素子及び複数の負極側整流素子によって構成された整流回路と、前記固定子を固定するものであって、前記固定子を冷却するための第１冷却水路が設けられたハウジングと、前記回転子の軸方向端部と対向する部位に配置され、前記整流回路を冷却するための第２冷却水路を構成する第１部材と、前記第２冷却水路を構成する第２部材とを有し、少なくとも前記複数の負極側整流素子は前記第２部材に設けられて冷却されることを特徴とする車両用交流発電機。
【００７９】
請求項１に記載の車両用交流発電機において、前記複数の正極側整流素子が設けられた冷却フィンと、該冷却フィンを絶縁するための絶縁部材とを有し、前記冷却フィンは前記絶縁部材を介して前記第２部材上に設けられていることを特徴とする車両用交流発電機。
【００８０】
請求項１に記載の車両用交流発電機において、前記複数の正極側整流素子を絶縁するための絶縁部材を有し、前記複数の正極側整流素子は、前記絶縁部材を介して前記第２部材に設けられて冷却されることを特徴とする車両用交流発電機。
【００８１】
請求項１に記載の車両用交流発電機において、前記第２部材の外側に配置されて前記第２冷却水路に接したブラケットと、前記整流回路を覆う良熱伝導体とを有し、前記整流回路は前記良熱伝導体を介して前記ブラケットに接していることを特徴とする車両用交流発電機。
【００８２】
請求項１に記載の車両用交流発電機において、前記第１部材には、前記界磁巻線の巻線厚み以上の厚みを有する冷却促進部が設けられていることを特徴とする車両用交流発電機。
【００８３】
請求項５に記載の車両用交流発電機において、前記回転子のシャフトを支持するベアリングを有し、前記冷却促進部は、前記ベアリングのリテーナを兼ねていることを特徴とする車両用交流発電機。
【００８４】
請求項５に記載の車両用交流発電機において、前記界磁巻線は口出し線を備えており、前記口出し線は前記回転子のコア側面に埋め込まれていることを特徴とする車両用交流発電機。
【００８５】
請求項１に記載の車両用交流発電機において、前記整流器は、前記整流回路と前記固定子の巻線とを電気的に接続するためのターミナルを備えており、前記ターミナルは銅又は銅合金のものであることを特徴とする車両用交流発電機。
【００８６】
請求項１に記載の車両用交流発電機において、前記固定子及び前記回転子の軸方向両側を覆う２つのブラケットを有し、前記２つのブラケットのうち、少なくとも１つのブラケットには、前記固定子の巻線とほぼ同じ外径の開口部が設けられていることを特徴とする車両用交流発電機。
【図面の簡単な説明】
【００８７】
【図１】車両用交流発電機の縦断面図を示す。
【図２】整流回路の全体構成上面図を示す。
【図３】整流回路の全体構成上面図を示す。
【図４】ダイオード部分の縦断面図を示す。
【図５】ダイオード部分の縦断面図を示す。
【図６】車両用交流発電機の縦断面図を示す。
【図７】車両用交流発電機の縦断面図を示す。
【図８】車両用交流発電機の縦断面図を示す。
【符号の説明】
【００８８】
１…車両用交流発電機、１０４…ブラケット、１０７…界磁巻線、１０９…ダイオード、１１４…冷却水路、１１６…良熱伝導体、１１９…冷却促進部、１２１…ターミナル、１２２…開口部、２００…軸方向端部を構成する面、３００…回転子コア。
【図１】
2006158200.tif 000003
【図２】
2006158200.tif 000004
【図３】
2006158200.tif 000005
【図４】
2006158200.tif 000006
【図５】
2006158200.tif 000007
【図６】
2006158200.tif 000008
【図７】
2006158200.tif 000009
【図８】
2006158200.tif 000010